(57)【特許請求の範囲】
【請求項１】
後端にバックガードを立設した洗面カウンターと、建物の壁面に沿って配設可能な下キャビネットと、を有し、
上記壁面に沿って配設したときに、上記洗面カウンターが上記バックガードと上記壁面の間に隙間を形成して上記下キャビネットの上部に設置されると共に、上記バックガードの上端と上記壁面の間に上記洗面カウンターと別体の補助載置部を設置し、
上記洗面カウンターの上方に、上記壁面に固定されたミラーキャビネットを有するものであることを特徴とする洗面化粧台。
【請求項２】
前記バックガードと前記ミラーキャビネットの間に断面コ字状の上段バックガード部材を配設し、
上記上段バックガード部材が、前記補助載置部と、上記補助載置部の後端から前記壁面に沿って延設され上記バックガードと上記ミラーキャビネットの間の壁面を被覆する背面パネル部と、上記背面パネル部の上端から上記ミラーキャビネットの下面に沿って延設され上記バックガード部材を上記ミラーキャビネットに固定する固定部と、を有し、
上記補助載置部の前端をバックガードの上端に固定したものであることを特徴とする請求項１に記載の洗面化粧台。
【発明の詳細な説明】
【技術分野】
【０００１】
本発明は、洗面化粧台、殊に洗面カウンターをキャビネットの上部に設置した洗面化粧台に関するものである。
【背景技術】
【０００２】
従来から洗面化粧台は、内部に物品の収納空間を有する下キャビネットと、下キャビネットの上部に設置され後端にバックガードを有する洗面カウンターと、を有している。そして、上記洗面カウンターは、原水や温水を吐出するカランやシャワー等の吐水部と、吐水部からの吐水を受けるボウル部と、吐水時に後方への水はねを防止する上記バックガードと、からなっている。例えば、特許文献１等のように、バックガードの上端に水跳ね防止補助ガードを配置すると共に、上記水跳ね防止補助ガードの上部が前方に突出しており、その上面に小物を載置可能としたものがある。
【０００３】
また、下キャビネットは内部の収納空間が広い程好ましいが、建物の洗面化粧台の設置スペースに応じて、下キャビネットは、収納空間の広い前後寸法の長いものと、狭い前後寸法の短いものと、を使い分けて設置されている。そして、洗面カウンターも前後寸法の異なるものを複数生産し、その中から設置する下キャビネットの前後寸法に合うものを選択することで、洗面カウンターの後方と壁面の間に隙間が空くことを防止している。
【先行技術文献】
【特許文献】
【０００４】
【特許文献１】特開２００１−２９９６０３号公報
【発明の概要】
【発明が解決しようとする課題】
【０００５】
しかしながら、下キャビネットの前後寸法の長短に応じて夫々洗面カウンターを使い分けていると、洗面カウンターの生産コストはもちろん在庫確保用の保管スペースが広く必要であり、施工コストが高価になるという問題がある。そして、大型の下キャビネット用の前後寸法の長い洗面カウンターはボウル部を大きくできるものの吐水部の位置が後退するため、背の低い使用者には吐水部が遠くなり洗面台としての使い勝手が悪くなるという問題もある。
【０００６】
また、特許文献１等のバックガードの上端に上方へ突出した水跳ね防止補助ガードを設けたものでは、前述と同様に下キャビネットが大型のものでは洗面カウンターも前後寸法の長いものを使用するため、施工コストが高く使い勝手が悪いものである。そして、小物を載置可能な上面がバックガードより前方に突出しているため、カラン等を操作する手が上記上面や上記上面に載置された小物に接触して、カラン等の操作が不便になると共に、載置された小物が倒れて外装が割れたり液体が漏れたりと破損や怪我の原因となり安全性の問題もある。
【０００７】
そこで、本発明は上記事情に鑑みて発明したものであり、洗面カウンターを共通のものとして前後寸法の異なる複数の下キャビネットに設置可能とし、且つバックガード後方のデットスペースを解消し、施工コストを増加させずに使い勝手を向上させた洗面化粧台を提供することを課題とした。
【課題を解決するための手段】
【０００８】
上記課題を解決するために、本発明の洗面化粧台１は、後端８にバックガード９を立設した洗面カウンター７と、建物の壁面３０に沿って配設可能な下キャビネット５（５ａ）と、を有するものである。そして、上記壁面３０に配設したときに、上記洗面カウンター７が上記バックガード９と上記壁面３０の間に隙間１２を形成して上記下キャビネット５（５ａ）の上部６に設置されるものである。更に、上記バックガード９の上端１０と上記壁面３０の間に上記洗面カウンター７と別体の補助載置部１４を設置し、上記洗面カウンター７の上方に、上記壁面３０に固定されたミラーキャビネット２を有するものである。
【０００９】
このような構成としたことで、下キャビネット５（５ａ）に対して洗面カウンター７の前後寸法が足りずに洗面カウンター７の後端８と壁面３０の間に隙間１２を生じても、洗面カウンター７と別体で有する補助載置部１４により上記隙間１２の上部を覆うことができる。そして、上記隙間１２の上部を覆う部材が上記補助載置部１４であるため、バックガード９の後方に日用品を載置することができる。
【００１０】
また、請求項２に記載の発明は、上記請求項１の発明に加えて、前記バックガード９と前記ミラーキャビネット２の間に断面コ字状の上段バックガード部材１３を配設するものである。更に、上記上段バックガード部材１３が、前記補助載置部１４と、上記補助載置部１４の後端から前記壁面３０に沿って延設され上記バックガード９と上記ミラーキャビネット２の間の壁面３０を被覆する背面パネル部１８と、上記背面パネル部１８の上端から上記ミラーキャビネット２の下面４に沿って延設され上記バックガード部材１３を上記ミラーキャビネット２に固定する固定部１９と、を有し、上記補助載置部１４の前端を上記バックガード９の上端１０に固定したものである。
【００１１】
このような構成としたことで、上段バックガード部材１３でミラーキャビネット２と洗面カウンター７の間の壁面３０が被覆されて、洗面カウンター７のバックガード９と共に壁面３０への水はねを防止することができる。そして、補助載置部１４の後端と背面パネル部１８の下端が一体で接続されたものあるため、上記接続部位から隙間１２や壁面３０に水や洗剤あるいは整髪料等の液体（以下、水等と記載）が流れ込むことを防止できる。更に、上段バックガード部材１３を固定する固定部１９が洗面化粧台１の使用時に使用者の目に付き難いミラーキャビネット２の下面４に配置され取り付けられるため、固定部１９を目立たなくすることができる。
【発明の効果】
【００１２】
上記のように、本発明の請求項１に記載の洗面化粧台は、バックガードの上端と壁面の間に補助載置部を設置したことで、洗面カウンターを設置した際に生じた後方の隙間の上部を覆うことができる。そして、補助載置部が洗面カウンターと別体であるため、前後寸法の短い小型の下キャビネット用の洗面カウンターを上記小型のものより前後寸法の長い大型の下キャビネットに設置してバックガードの後方に生じた隙間の上部を補助載置部で覆うことができる。更に、前後寸法の異なる複数の補助載置部を生産保管することで、一つの洗面カウンターを前後寸法の異なる複数の下キャビネットに共通で使用することができる。そのため、前後寸法の異なる洗面カウンターを複数生産保管するより、生産コストや在庫保管コスト等を削減できて、施工コストを安価にすることができる。更に、バックガードの後方に補助載置部が設置されるため、整髪料のボトルや髭剃り、ヘアピン等の洗面化粧台で使用する大小様々な日用品をバックガードより後方に載置することができる。そのため、日用品の載置スペースが広がると共に、バックガードより後方に載置できるため、日用品等の載置物への撥ねた水の付着を抑制することができる。
【００１３】
また、請求項２に記載の洗面化粧台は、請求項１の効果に加えて、一体である補助載置部と背面パネル部により上記隙間及び壁面への水等の浸入を容易に防止することができる。そして、上記固定部で上段バックガード部材がミラーキャビネットに固定されるため、洗面化粧台の使用者に視認され難い位置で上段バックガード部材を保持固定できて、外観の向上することができる。
【図面の簡単な説明】
【００１４】
【図１】本発明の実施例における洗面化粧台の側面図である。
【図２】同上の上段バックガード部材及び側板の斜視図である。
【図３】前後寸法の短い小型の下キャビネットの側面図である。
【図４】前後寸法の長い大型の下キャビネットの側面図である。
【発明を実施するための形態】
【００１５】
以下、図面に基づいて本発明の洗面化粧台の実施形態について説明する。
【００１６】
図１に示す実施例の洗面化粧台１は、後端８にバックガード９を立設した洗面カウンター７と、洗面カウンター７が上部６に設置された下キャビネット５（５ａ）と、洗面カウンター７の上方に配置された上キャビネットと、を有している。
【００１７】
上記上キャビネットは前方に開口し内部を物品の収納空間を有する箱状のものであり、後部を建物の壁面３０に沿って配設した状態で上面及び下面４に取り付けられたＬ字金具等の係止具（特に図示しない）により上記壁面３０に固定されている。そして、上記前方の開口は開閉自在な扉体（特に図示しない）で覆われると共に、上記扉体の前面に鏡３が取り付けてあり、ミラーキャビネット２となっている。
【００１８】
また、下キャビネット５は前面に開閉自在な扉体（特に図示しない）を有し内部に物品の収納空間を有する箱状のものであり、建物の床３１に載置されると共に上記壁面３０に沿って配設されている。上記下キャビネット５の上部６には前端の縁部を当接した状態で上記洗面カウンター７が取り付けられている。
【００１９】
そして、上記洗面カウンター７は下キャビネット５と略同じ左右寸法の板状のものであり、板の上面には、バックガード９より前方に設置されたカラン（特に図示しない）と、上記カランの吐水を受けるボウル部（特に図示しない）と、を有している。更に、上記洗面カウンター７の後端８であるバックガード９と上記壁面３０の間に隙間１２が形成されており、上記バックガード９は下キャビネット５の後端より前方で且つミラーキャビネット２の扉体より後方に位置している。
【００２０】
つまり、本例で用いる洗面カウンター７は、図３に示すように、前後寸法の短い（寸法Ｌ２）小型の下キャビネット５ｂに配設すると、バックガード９と壁面３０の間に隙間１２を生じることが無い前後寸法で形成された小型用の洗面カウンター７である。そして、本例で用いる下キャビネット５は前述の通り設置された洗面カウンター７が壁面３０との間に隙間１２を生じるものであり、図４に示すように、上記小型の下キャビネット５ｂより前後寸法の長い（寸法Ｌ１）大型の下キャビネット５ａである。なお、本例において、上記小型の下キャビネット５ｂの前後寸法Ｌ２は５５０ｍｍであり、上記大型の下キャビネット５ａの前後寸法Ｌ１は６００ｍｍであり、洗面カウンター７の後端８と壁面３０の間に生じる隙間１２の前後寸法Ｌ３は５０ｍｍとなっている。もちろん、上記寸法は例示であり、隙間１２の前後寸法Ｌ３が５０ｍｍより狭いものや５０ｍｍより広いものであってもよい。
【００２１】
また、図２に示すように、上記洗面カウンター７の後端８と壁面３０の間及びバックガード９の上端１０とミラーキャビネット２の間には上段バックガード部材１３が設置されている。上記上段バックガード部材１３は上記隙間１２の上部を覆うと共に、バックガード９の上端１０とミラーキャビネット２の下面４の間の壁面３０を覆っている。
【００２２】
上記上段バックガード部材１３は、上記隙間１２の上部を覆う板状の補助載置部１４と、補助載置部１４の後端から垂直に延設され上記壁面３０を被覆する背面パネル部１８と、背面パネル部１８の上端から前方へミラーキャビネット２の下面４に沿って延設された固定部１９と、からなっている。つまり、上段バックガード部材１３は背面パネル部１８の下端に補助載置部１４の後端が接続され背面パネル部１８の上端に固定部１９の後端が接続されたものであり、前方及び左右に開口を有する断面コ字状に一体で形成されたものである。なお、符号２０は上記上段バックガード部材１３の側方の開口及び洗面カウンター７の後端８と壁面３０の間の隙間１２の側方を覆う側板であり、上段バックガード部材１３及びバックガード９の側面に接着剤等を介在して接着されて水密で固定されている。
【００２３】
詳しくは、上記補助載置部１４がバックガード９の上端１０から壁面３０まで略水平に掛け渡された板であり、左右寸法は洗面カウンター７の左右寸法と略同じとなっている。そして、上記板の上面は略水平で整髪料のボトルや歯磨き粉のチューブ等の洗面化粧台１で使用する日用品を載置可能な載置面１５となっている。更に、上面が略水平な載置面１５であるため、上記日用品の載置保管に加え、上記チューブの蓋やヘアピン等の小物も載置可能であり、使い勝手のよい載置スペースとなっている。
【００２４】
つまり、バックガード９の上端１０と壁面３０の間に補助載置部１４を設置したことで、補助載置部１４の上面を整髪料のボトルや髭剃り、ヘアピン等の洗面化粧台１で使用する大小様々な日用品を載置可能な載置面１５として使用することができる。
【００２５】
そして、補助載置部１４が洗面カウンター７と別体であるため、前後寸法の短い小型の下キャビネット５ｂ用の洗面カウンター７を前後寸法の長い大型の下キャビネット５ａに設置してバックガード９の後方に生じた隙間１２の上部を補助載置部１４で覆うことができる。そのため、小型の下キャビネット５ｂ用の洗面カウンター７を前後寸法の異なる複数の下キャビネット５に共通のものとして使用可能となり、生産コストや在庫保管コスト等を削減できて、施工コストを安価にすることができる。
【００２６】
更に、日用品の載置スペースが広がるだけでなく、バックガード９より後方に載置面１５が位置するため、補助載置部１４に載置した日用品にボウル部等から撥ねた水がバックガード９に遮られて付着し難くなっている。そのため、洗顔時に外すめがね等を補助載置部１４に載置して仮置きすることで、上記めがね等の載置物が濡れずにすみ、使い勝手のよいものとなっている。
【００２７】
また、上記補助載置部１４は板の前端側の下面１６をバックガード９の上端１０に当接すると共に、板の後端を壁面３０に当接して取り付けられている。そして、下面１６の上記前端側の当接部位の後方にはバックガード９の後面１１に沿ってリブ１７が下方へ突設されている。つまり、上記リブ１７は上記補助載置部１４をバックガード９の上面に設置する際に上記リブ１７の前面をバックガード９の後面１１に当接することで補助載置部１４を位置決めするものである。そして、上記補助載置部１４の前端側の下面１６及びリブ１７とバックガード９の間の当接部位は接着剤を介在させた接着等により水密して固定されている。
【００２８】
なお、補助載置部１４は前方に向かう程下方に下がる傾斜を設けたものや、前後方向に溝を形成したもの等の載置面１５に付着した水をバックガード９を介してボウル部に排出する排水手段を備えたものであることが好ましい。もちろん、補助載置部１４の前端側の下面１６とバッガード９の上端１０の間にパッキン等の弾性体からなる封止部材を介在させて二重に水密してもよい。
【００２９】
上記背面パネル部１８は左右寸法が上記補助載置部１４と同様に洗面カウンター７と略同じ左右寸法で、上下寸法がバックガード９の上端１０からミラーキャビネット２の下面４まで寸法となっているパネル板である。そして、上記背面パネル部１８は壁面３０に当接されて該壁面３０を被覆しており、洗面カウンター７からの水はねが上記壁面３０に付着することを防止している。更に、補助載置部１４と背面パネル部１８が一体であるため、補助載置部１４の後端と背面パネル部１８の下端の接続部位であるコ字状の角の部位から隙間１２や壁面３０等の上段バックガード部材１３の後面側に水等が浸入することを防止している。なお、背面パネル部１８と壁面３０の当接部位は接着剤を介在させた接着等で壁面３０に固定してもよい。
【００３０】
上記固定部１９は左右寸法が補助載置部１４と略同じ寸法の板状のものであり、該板にはビス等の固定具（特に図示しない）を挿通する挿通孔（特に図示しない）が左右方向に所定間隔で複数穿設されている。そして、上記固定部１９は上記固定具を挿通孔に挿通し、該固定具を介してミラーキャビネット２の下面４に固定されるものであり、該固定により上段バックガード部材１３をミラーキャビネット２に取り付けるものである。更に、固定部１９はミラーキャビネット２の下面４で且つミラーキャビネット２の前端より後方に取り付けられるため、固定具及び固定部１９が洗面カウンター７を見下ろして使用する使用者の視界に入り難くなっている。
【００３１】
つまり、固定部１９は洗面化粧台１を使用する使用者に視認され難い位置で上段バックガード部材１３を保持固定できるため、洗面化粧台１の外観が向上している。そして、固定部１９は上記背面パネル部１８及び補助載置部１４の後端を上方へ付勢して保持するため、載置面１５に日用品を載置した際に載置面１５が上記隙間１２に落ち込み傾くあるいは背面パネル部１８が下がる等の不具合の発生を防止している。
【００３２】
更に、固定部１９は下面が外部に露出しているため、上面の露出した補助載置部１４や前面の露出した背面パネル部１８に比べて水等が付着しても重力により除去され易く、固定具が錆等で消耗することを防止することができる。なお、ミラーキャビネット２の下面４に取り付けられた前述の係止具を固定部１９及び背面パネル部１８で隠蔽することで、上記係止具を使用者から視認し難くして、より外観を向上させることも好ましい。
【００３３】
このように、本発明は補助載置部１４あるいは上段バックガード部材１３により、小型の下キャビネット５ｂ用の洗面カウンター７を大型の下キャビネット５ａ等の上記小型のものより前後寸法の長い下キャビネット５にも使用可能としたものである。そのため、前後寸法の異なる複数の補助載置部１４あるいは補助載置部１４の前後寸法が異なる複数の上段バックガード部材１３を生産保管することで、一つの洗面カウンター７を前後寸法の異なる複数の下キャビネット５に共通で使用することができる。そして、補助載置部１４や上段バックガード部材１３は洗面カウンター７に比べて安価で且つ保管スペースを抑えられ、前後寸法の異なる洗面カウンター７を複数生産保管するより、生産コストや管理コストを削減でき、洗面化粧台１の施工コストを安価にできる。
【００３４】
更に、小型の下キャビネット５ｂ用の洗面カウンター７を共通の洗面カウンター７として使用できるため、リホーム等で小型の下キャビネット５ｂを大型のものに交換した際に、交換前と同じ洗面カウンター７を新たな洗面化粧台１で利用することができる。そのため、カランの配置（前方からの距離）やボウル部の形状等が変わらず、使用者は洗面カウンター７を使用する感覚が交換前と同様に維持された状態で下部の収納空間を広く利用でき、使い勝手を向上するものである。
【００３５】
また、上段バックガード部材１３が一体で形成されたコ字形状であるため、取り付け時に洗面カウンター７とミラーキャビネット２の間に嵌め込むことで、上段バックガード部材１３を仮保持することができる。そのため、取付作業を行う作業者が上段バックガード部材１３を支えなくても、固定具による固定部１９とミラーキャビネット２の下面４の固定を容易に行え、上段バックガード部材１３を容易に取り付けることができるものとなっている。
【００３６】
なお、上段バックガード部材１３は耐水性を有する材料で形成することで皮膜塗装や鍍金等の耐水処理が不要になり生産コストを削減できると共に、耐水性の低下による再処理等も不要になり使い勝手が向上すると共に長寿命にできて好ましい。そして、上記耐水性を有する材料の中でも樹脂やアルミニウム等を用いれば押出成型等で容易に生産できて更に生産コストを削減できる。もちろん、補助載置部１４の下面１６にリブ１７が無いものであれば、板材に曲げ加工を行うだけで形成できるため、押出成型が容易ではないステンレス等の耐水性を有する金属材料を用いて生産コストを削減することもできる。
【符号の説明】
【００３７】
１  洗面化粧台
２  ミラーキャビネット（上キャビネット）
３  鏡
４  下面
５、５ａ、５ｂ  下キャビネット
６  上部
７  洗面カウンター
８  後端
９  バックガード
１０  上端
１２  隙間
１３  上段バックガード部材
１４  補助載置部
１８  背面パネル部
１９  固定部
３０  壁面
【図１】
0005457823.tif 000002
【図２】
0005457823.tif 000003
【図３】
0005457823.tif 000004
【図４】
0005457823.tif 000005